(57)【要約】【課題】空気調和機を運転する空間の湿度や温度に応じて、その空間にいる人が不快感を催しづらい空気調和機の運転を実現することができる制御装置を提供する。【解決手段】制御装置は、吹出口に設けられた風向を上下に変更する上下フラップと、前記風向を左右に変更する左右ルーバーと、を備える空気調和機の制御装置であって、前記空気調和機の運転モードと、設定温度と室内温度との温度差と、湿度センサが検出した室内の湿度とに基づいて、前記上下フラップ及び前記左右ルーバーのうち少なくとも一方をスイング動作させて気流を拡散させる制御を行う制御部、を備える。【選択図】図３
2019078427.tif 000002
【特許請求の範囲】
【請求項１】
吹出口に設けられた風向を上下に変更する上下フラップと、前記風向を左右に変更する左右ルーバーと、を備える空気調和機の制御装置であって、
前記空気調和機の運転モードと、設定温度と室内温度との温度差と、湿度センサが検出した室内の湿度とに基づいて、前記上下フラップ及び前記左右ルーバーのうち少なくとも一方をスイング動作させて気流を拡散させる制御を行う制御部、
を備える制御装置。
【請求項２】
前記空気調和機が空調を行う空間において稼働する加湿器の存在を認識する認識部、
を備え、
前記制御部は、
前記認識部が前記加湿器の稼働を認識し、かつ前記運転モードごとの前記温度差が所定の条件を満たす場合、前記気流を拡散させる制御を行う、
請求項１に記載の制御装置。
【請求項３】
前記制御部は、
前記気流を拡散させる制御として、前記温度差が第１温度以上あり、前記運転モードが冷房モードであり、湿度が第１湿度未満である場合、第１制御として、前記上下フラップどうしの間隔を広くして前記左右ルーバーを第１所定回数スイングさせ、第２制御として、前記左右ルーバーを風向が正面になる向きで固定して、前記上下フラップどうしの間隔を狭くして上吹きで第２所定回数スイングさせ、第３制御として、前記左右ルーバーを風向が正面になる向きで固定して、前記上下フラップを水平吹きで第１所定時間運転させ、前記第１制御、前記第２制御、前記第３制御を順に繰り返す、
請求項１または請求項２に記載の制御装置。
【請求項４】
前記制御部は、
前記気流を拡散させる制御として、前記温度差が第２温度以上あり、前記運転モードが暖房モードであり、湿度が第２湿度以上である場合、第４制御として、前記上下フラップどうしの間隔を広くして前記左右ルーバーを第１所定回数スイングさせ、第５制御として、前記左右ルーバーを風向が正面になる向きで固定して、前記上下フラップどうしの間隔を狭くして下吹きで第２所定回数スイングさせ、第６制御として、前記左右ルーバーを風向が正面になる向きで固定して、前記上下フラップを下吹きで第１所定時間運転させ、前記第４制御、前記第５制御、前記第６制御を順に繰り返す、
請求項１から請求項３の何れか一項に記載の制御装置。
【請求項５】
吹出口に設けられた風向を上下に変更する上下フラップと、前記風向を左右に変更する左右ルーバーと、を備える空気調和機の制御装置による制御方法であって、
前記空気調和機の運転モードと、設定温度と室内温度との温度差と、湿度センサが検出した室内の湿度とに基づいて、前記上下フラップ及び前記左右ルーバーのうち少なくとも一方をスイング動作させて気流を拡散させる制御を行うこと、
を含む制御装置による制御方法。
【請求項６】
吹出口に設けられた風向を上下に変更する上下フラップと、前記風向を左右に変更する左右ルーバーと、を備える空気調和機の制御装置のコンピュータに、
前記空気調和機の運転モードと、設定温度と室内温度との温度差と、湿度センサが検出した室内の湿度とに基づいて、前記上下フラップ及び前記左右ルーバーのうち少なくとも一方をスイング動作させて気流を拡散させる制御を行うこと、
を実行させるプログラム。
【発明の詳細な説明】
【技術分野】
【０００１】
本発明は、制御装置、制御装置による制御方法及びプログラムに関する。
【背景技術】
【０００２】
空間における温度を調整するエアコンは、その空間にいる人が快適に感じる送風が行われるよう、さまざまな送風の制御が行われている。
特許文献１には、エアコンの冷房運転において湿度を考慮した送風に関する技術が記載されている。
【先行技術文献】
【特許文献】
【０００３】
【特許文献１】特開２０１７−０４０４０７号公報
【発明の概要】
【発明が解決しようとする課題】
【０００４】
ところで、低湿度（おおむね６０％未満）の環境の空間において、エアコンが冷房運転される場合、その空間にいる人の体感温度が下がることが知られている。また、雰囲気温度がおおむね１０度以上で、かつ高湿度（おおむね６０％以上）の環境の空間において、エアコンが暖房運転される場合、その空間にいる人の体感温度が上がることが知られている。
ところで、一般的なエアコンは、空間における実際の温度と、エアコンに設定した温度との差が大きい場合、大きな風量で空間における温度をエアコンに設定した温度に早期に近づける運転が行われる。そのため、特に、低湿度の環境の空間において、エアコンが冷房運転される場合や、雰囲気温度がおおむね１０度以上で、かつ高湿度の環境の空間において、エアコンが暖房運転される場合には、その空間にいる人の体感温度がエアコンに設定した温度と大きく異なり、空間にいる人が不快感を催す場合がある。
そのため、空気調和機を運転する空間の湿度や温度に応じて、その空間にいる人が不快感を催しづらい空気調和機の運転を実現することのできる技術が求められている。
【０００５】
本発明は、上記の課題を解決することのできる制御装置、制御装置による制御方法及びプログラムを提供することを目的としている。
【課題を解決するための手段】
【０００６】
本発明の第１の態様によれば、制御装置は、吹出口に設けられた風向を上下に変更する上下フラップと、前記風向を左右に変更する左右ルーバーと、を備える空気調和機の制御装置であって、前記空気調和機の運転モードと、設定温度と室内温度との温度差と、湿度センサが検出した室内の湿度とに基づいて、前記上下フラップ及び前記左右ルーバーのうち少なくとも一方をスイング動作させて気流を拡散させる制御を行う制御部、を備える。
【０００７】
本発明の第２の態様によれば、第１の態様における制御装置は、前記空気調和機が空調を行う空間において稼働する加湿器の存在を認識する認識部、を備え、前記制御部は、前記認識部が前記加湿器の稼働を認識し、かつ前記運転モードごとの前記温度差が所定の条件を満たす場合、前記気流を拡散させる制御を行うものであってもよい。
【０００８】
本発明の第３の態様によれば、第１の態様または第２の態様における制御装置において、前記制御部は、前記気流を拡散させる制御として、前記温度差が第１温度以上あり、前記運転モードが冷房モードであり、湿度が第１湿度未満である場合、第１制御として、前記上下フラップどうしの間隔を広くして前記左右ルーバーを第１所定回数スイングさせ、第２制御として、前記左右ルーバーを風向が正面になる向きで固定して、前記上下フラップどうしの間隔を狭くして上吹きで第２所定回数スイングさせ、第３制御として、前記左右ルーバーを風向が正面になる向きで固定して、前記上下フラップを水平吹きで第１所定時間運転させ、前記第１制御、前記第２制御、前記第３制御を順に繰り返すものであってもよい。
【０００９】
本発明の第４の態様によれば、第１の態様から第３の態様の何れか１つにおける制御装置において、前記制御部は、前記気流を拡散させる制御として、前記温度差が第２温度以上あり、前記運転モードが暖房モードであり、湿度が第２湿度以上である場合、第４制御として、前記上下フラップどうしの間隔を広くして前記左右ルーバーを第１所定回数スイングさせ、第５制御として、前記左右ルーバーを風向が正面になる向きで固定して、前記上下フラップどうしの間隔を狭くして下吹きで第２所定回数スイングさせ、第６制御として、前記左右ルーバーを風向が正面になる向きで固定して、前記上下フラップを下吹きで第１所定時間運転させ、前記第４制御、前記第５制御、前記第６制御を順に繰り返すものであってもよい。
【００１０】
本発明の第５の態様によれば、制御装置による制御方法は、吹出口に設けられた風向を上下に変更する上下フラップと、前記風向を左右に変更する左右ルーバーと、を備える空気調和機の制御装置による制御方法であって、前記空気調和機の運転モードと、設定温度と室内温度との温度差と、湿度センサが検出した室内の湿度とに基づいて、前記上下フラップ及び前記左右ルーバーのうち少なくとも一方をスイング動作させて気流を拡散させる制御を行うこと、を含む。
【００１１】
本発明の第６の態様によれば、プログラムは、吹出口に設けられた風向を上下に変更する上下フラップと、前記風向を左右に変更する左右ルーバーと、を備える空気調和機の制御装置のコンピュータに、前記空気調和機の運転モードと、設定温度と室内温度との温度差と、湿度センサが検出した室内の湿度とに基づいて、前記上下フラップ及び前記左右ルーバーのうち少なくとも一方をスイング動作させて気流を拡散させる制御を行うこと、を実行させる。
【発明の効果】
【００１２】
本発明の実施形態による制御装置によれば、空気調和機を運転する空間の湿度や温度に応じて、その空間にいる人が不快感を催しづらい空気調和機の運転を実現することができる。
【図面の簡単な説明】
【００１３】
【図１】本発明の第１の実施形態によるエアコンシステムの構成を示す図である。
【図２】本発明の第１の実施形態によるエアコンの構成を示す第１の図である。
【図３】本発明の第１の実施形態によるエアコンの構成を示す第２の図である。
【図４】本発明の第１の実施形態による制御装置の構成を示す図である。
【図５】本発明の第１の実施形態による制御装置による風向制御を説明するための図である。
【図６】本発明の第１の実施形態による制御装置の処理フローを示す図である。
【図７】本発明の第２の実施形態によるエアコンシステムの構成を示す図である。
【図８】本発明の第２の実施形態による制御装置の構成を示す図である。
【図９】本発明の別の実施形態によるエアコンの構成を示す図である。
【図１０】少なくとも１つの実施形態に係るコンピュータの構成を示す概略ブロック図である。
【発明を実施するための形態】
【００１４】
＜第１の実施形態＞
以下、本発明の第１の実施形態によるエアコンシステム１の構成について説明する。
エアコンシステム１は、冷房運転時に低湿度（６０％未満）であり、空間における雰囲気温度とエアコンの設定温度との温度差が５度以上である場合には、冷風感を伴わない制御に基づいて運転を行い、暖房運転時に高湿度（６０％以上）であり、空間における雰囲気温度とエアコンの設定温度との温度差が５度以上である場合には、温風を感じにくい運転を行うシステムである。エアコンシステム１は、図１に示すように、エアコン１０（空気調和機）、制御装置２０を備える。
【００１５】
エアコン１０は、図２に示すように、上下風向変更機構１０１、左右風向変更機構１０２エアコン１０は、例えば壁掛け式のエアコンである。
【００１６】
上下風向変更機構１０１は、上下方向の気流の方向を変更する機構である。上下風向変更機構１０１は、例えば、図３に示すような上下フラップである。
左右風向変更機構１０２は、左右方向の気流の方向を変更する機構である。左右風向変更機構１０２は、例えば、図３に示すような左右ルーバーである。
【００１７】
制御装置２０は、図４に示すように、送風制御部２０１、風向制御部２０２（制御部の一例）を備える。
送風制御部２０１は、エアコン１０に対して設定される運転モード及び温度を特定する。送風制御部２０１は、特定した運転モード及び温度に基づいて、エアコン１０が出力する気流の温度や風量を制御する。エアコン１０に対して設定される運転モードとは、冷房運転または暖房運転である。エアコン１０に対して設定される温度とは、例えば、エアコン１０のリモコンを介して設定される温度である。
【００１８】
風向制御部２０２は、上下風向変更機構１０１の上下方向の気流の方向を制御する。また、風向制御部２０２は、左右風向変更機構１０２の左右方向の気流の方向を制御する。
具体的には、風向制御部２０２は、エアコン１０に対して設定される温度と、空間における雰囲気温度との温度差に応じて、上下風向変更機構１０１による気流の方向及び左右風向変更機構１０２による気流の方向を制御する。
風向制御部２０２による風向の制御について、以下でより具体的に説明する。ここでは、運転モードごとに、条件別に、風向制御部２０２による風向の制御の例を示す。
【００１９】
運転モードが冷房運転であり、湿度が６０％以上である場合、空間にいる人の体感温度は、エアコン１０に対して設定される温度と大きくは異ならない。そのため、エアコン１０に対して設定される温度と、空間における雰囲気温度との温度差別に以下の条件１における風向制御、条件２における風向制御、条件３における風向制御を行う。
【００２０】
（条件１における風向制御）
運転モードが冷房運転、湿度が６０％以上、温度差が５度以上の場合を条件１とする。この条件１の条件を満たす場合、風向制御部２０２は、左右風向変更機構１０２である左右ルーバーを風向が正面になる向きで固定する。そして、風向制御部２０２は、上下風向変更機構１０１である上下フラップどうしの間隔を狭くし、上吹きでスイングさせる。
【００２１】
（条件２における風向制御）
運転モードが冷房運転、湿度が６０％以上、温度差が２度以上（第１温度の一例）５度未満の場合を条件２とする。この条件２の条件を満たす場合、風向制御部２０２は、上下風向変更機構１０１である上下フラップどうしの間隔を広くする。風向制御部２０２は、第１制御として、左右風向変更機構１０２である左右ルーバーを左右に３サイクル（第１所定回数の一例）スイングさせる。風向制御部２０２は、第２制御として、左右ルーバーを正面に固定して、上下フラップどうしの間隔を狭めて上吹きで５サイクル（第２所定回数の一例）スイングさせる。風向制御部２０２は、第３制御として、左右ルーバーを正面に固定して、上下フラップを水平吹きで第１所定時間運転させる。風向制御部２０２は、第１制御、第２制御、第３制御を順に繰り返す。風向制御部２０２は、第１制御、第２制御、第３制御を順に繰り返す度に、第３制御における運転時間である第１所定時間を（例えば、５分）短くする。
【００２２】
（条件３における風向制御）
運転モードが冷房運転、湿度が６０％以上、温度差が２度未満の場合を条件３とする。この条件３の条件を満たす場合、風向制御部２０２は、左右ルーバーを正面に固定して、上下フラップを水平吹きで第１所定時間運転させる。
【００２３】
運転モードが冷房運転であり、湿度が６０％未満である場合、空間にいる人の体感温度は、エアコン１０に対して設定される温度と大きく異なる。そのため、エアコン１０に対して設定される温度と、空間における雰囲気温度との温度差別に以下の条件４における風向制御、条件５における風向制御、条件６における風向制御を行う。
【００２４】
（条件４における風向制御）
運転モードが冷房運転、湿度が６０％未満、温度差が５度以上の場合を条件４とする。この条件４の条件を満たす場合、風向制御部２０２は、上記条件２における風向制御と同様の制御を行う。
【００２５】
（条件５における風向制御）
運転モードが冷房運転、湿度が６０％未満、温度差が２度以上５度未満の場合を条件５とする。この条件５の条件を満たす場合、風向制御部２０２は、上記条件２における風向制御と同様の制御を行う。
【００２６】
（条件６における風向制御）
運転モードが冷房運転、湿度が６０％未満、温度差が２度未満の場合を条件６とする。この条件６の条件を満たす場合、風向制御部２０２は、上記条件３における風向制御と同様の制御を行う。
【００２７】
運転モードが暖房運転であり、湿度が６０％未満である場合、空間にいる人の体感温度は、エアコン１０に対して設定される温度と大きくは異ならない。そのため、エアコン１０に対して設定される温度と、空間における雰囲気温度との温度差別に以下の条件７における風向制御、条件８における風向制御、条件９における風向制御を行う。
【００２８】
（条件７における風向制御）
運転モードが暖房運転、湿度が６０％未満、温度差が５度以上の場合を条件７とする。この条件７の条件を満たす場合、風向制御部２０２は、左右風向変更機構１０２である左右ルーバーを風向が正面になる向きで固定する。そして、風向制御部２０２は、上下風向変更機構１０１である上下フラップどうしの間隔を狭くし、下吹きでスイングさせる。
【００２９】
（条件８における風向制御）
運転モードが暖房運転、湿度が６０％未満、温度差が２度以上（第２温度の一例）５度未満の場合を条件８とする。この条件８の条件を満たす場合、風向制御部２０２は、上下風向変更機構１０１である上下フラップどうしの間隔を広くする。風向制御部２０２は、第４制御として、左右風向変更機構１０２である左右ルーバーを左右に３サイクル（第３所定回数の一例）スイングさせる。風向制御部２０２は、第５制御として、左右ルーバーを正面に固定して、上下フラップどうしの間隔を狭めて下吹きで５サイクル（第４所定回数の一例）スイングさせる。風向制御部２０２は、第６制御として、左右ルーバーを正面に固定して、上下フラップを下吹きで第２所定時間運転させる。風向制御部２０２は、第４制御、第５制御、第６制御を順に繰り返す。風向制御部２０２は、第４制御、第５制御、第６制御を順に繰り返す度に、第６制御における運転時間である第２所定時間を（例えば、５分）短くする。
【００３０】
（条件９における風向制御）
運転モードが暖房運転、湿度が６０％未満、温度差が２度未満の場合を条件９とする。この条件９の条件を満たす場合、風向制御部２０２は、左右ルーバーを正面に固定して、上下フラップを下吹きで第２所定時間運転させる。
【００３１】
運転モードが暖房運転であり、湿度が６０％以上である場合、空間にいる人の体感温度は、エアコン１０に対して設定される温度と大きく異なる。そのため、エアコン１０に対して設定される温度と、空間における雰囲気温度との温度差別に以下の条件１０における風向制御、条件１１における風向制御、条件１２における風向制御を行う。
【００３２】
（条件１０における風向制御）
運転モードが暖房運転、湿度が６０％以上、温度差が５度以上の場合を条件４とする。この条件１０の条件を満たす場合、風向制御部２０２は、上記条件８における風向制御と同様の制御を行う。
【００３３】
（条件１１における風向制御）
運転モードが暖房運転、湿度が６０％以上、温度差が２度以上５度未満の場合を条件１１とする。この条件１１の条件を満たす場合、風向制御部２０２は、上記条件８における風向制御と同様の制御を行う。
【００３４】
（条件１２における風向制御）
運転モードが暖房運転、湿度が６０％以上、温度差が２度未満の場合を条件１２とする。この条件１２の条件を満たす場合、風向制御部２０２は、上記条件９における風向制御と同様の制御を行う。
【００３５】
上記の条件１〜１２における風向制御のそれぞれは、図５に示すように、表にまとめることができる。
【００３６】
次に、本発明の第１の実施形態による制御装置２０による風向制御の処理について図６を用いて説明する。
送風制御部２０１は、エアコン１０に対して設定される運転モード及び温度を特定する（ステップＳ１）。
【００３７】
風向制御部２０２は、送風制御部２０１が特定した運転モードが冷房運転であるか否かを判定する（ステップＳ２）。
【００３８】
風向制御部２０２は、送風制御部２０１が特定した運転モードが冷房運転であると判定した場合（ステップＳ２においてＹＥＳ）、湿度が６０％以上であるか否かを判定する（ステップＳ３）。
【００３９】
風向制御部２０２は、湿度が６０％以上であると判定した場合（ステップＳ３においてＹＥＳ）、送風制御部２０１が特定した温度と実際の空間における温度との温度差が５度以上であるか否かを判定する（ステップＳ４）。
【００４０】
風向制御部２０２は、送風制御部２０１が特定した温度と実際の空間における温度との温度差が５度以上であると判定した場合（ステップＳ４においてＹＥＳ）、条件１を満たしたと判定し、条件１における風向制御を行う（ステップＳ５）。
【００４１】
風向制御部２０２は、送風制御部２０１が特定した温度と実際の空間における温度との温度差が５度以上でないと判定した場合（ステップＳ４においてＮＯ）、送風制御部２０１が特定した温度と実際の空間における温度との温度差が２度以上であるか否かを判定する（ステップＳ６）。
【００４２】
風向制御部２０２は、送風制御部２０１が特定した温度と実際の空間における温度との温度差が２度以上であると判定した場合（ステップＳ６においてＹＥＳ）、条件２を満たしたと判定し、条件２における風向制御を行う（ステップＳ７）。
【００４３】
風向制御部２０２は、送風制御部２０１が特定した温度と実際の空間における温度との温度差が２度以上でないと判定した場合（ステップＳ６においてＮＯ）、条件３を満たしたと判定し、条件３における風向制御を行う（ステップＳ８）。
【００４４】
風向制御部２０２は、湿度が６０％以上でないと判定した場合（ステップＳ３においてＮＯ）、送風制御部２０１が特定した温度と実際の空間における温度との温度差が５度以上であるか否かを判定する（ステップＳ９）。
【００４５】
風向制御部２０２は、送風制御部２０１が特定した温度と実際の空間における温度との温度差が５度以上であると判定した場合（ステップＳ９においてＹＥＳ）、条件４を満たしたと判定し、条件４における風向制御を行う（ステップＳ１０）。
【００４６】
風向制御部２０２は、送風制御部２０１が特定した温度と実際の空間における温度との温度差が５度以上でないと判定した場合（ステップＳ９においてＮＯ）、送風制御部２０１が特定した温度と実際の空間における温度との温度差が２度以上であるか否かを判定する（ステップＳ１１）。
【００４７】
風向制御部２０２は、送風制御部２０１が特定した温度と実際の空間における温度との温度差が２度以上であると判定した場合（ステップＳ１１においてＹＥＳ）、条件５を満たしたと判定し、条件５における風向制御を行う（ステップＳ１２）。
【００４８】
風向制御部２０２は、送風制御部２０１が特定した温度と実際の空間における温度との温度差が２度以上でないと判定した場合（ステップＳ１１においてＮＯ）、条件６を満たしたと判定し、条件６における風向制御を行う（ステップＳ１３）。
【００４９】
風向制御部２０２は、送風制御部２０１が特定した運転モードが冷房運転でないと判定した場合（ステップＳ２においてＮＯ）、湿度が６０％未満であるか否かを判定する（ステップＳ１４）。
【００５０】
風向制御部２０２は、湿度が６０％未満であると判定した場合（ステップＳ１４においてＹＥＳ）、送風制御部２０１が特定した温度と実際の空間における温度との温度差が５度以上であるか否かを判定する（ステップＳ１５）。
【００５１】
風向制御部２０２は、送風制御部２０１が特定した温度と実際の空間における温度との温度差が５度以上であると判定した場合（ステップＳ１５においてＹＥＳ）、条件７を満たしたと判定し、条件７における風向制御を行う（ステップＳ１６）。
【００５２】
風向制御部２０２は、送風制御部２０１が特定した温度と実際の空間における温度との温度差が５度以上でないと判定した場合（ステップＳ１５においてＮＯ）、送風制御部２０１が特定した温度と実際の空間における温度との温度差が２度以上であるか否かを判定する（ステップＳ１７）。
【００５３】
風向制御部２０２は、送風制御部２０１が特定した温度と実際の空間における温度との温度差が２度以上であると判定した場合（ステップＳ１７においてＹＥＳ）、条件８を満たしたと判定し、条件８における風向制御を行う（ステップＳ１８）。
【００５４】
風向制御部２０２は、送風制御部２０１が特定した温度と実際の空間における温度との温度差が２度以上でないと判定した場合（ステップＳ１７においてＮＯ）、条件９を満たしたと判定し、条件９における風向制御を行う（ステップＳ１９）。
【００５５】
風向制御部２０２は、湿度が６０％未満でないと判定した場合（ステップＳ１４においてＮＯ）、送風制御部２０１が特定した温度と実際の空間における温度との温度差が５度以上であるか否かを判定する（ステップＳ２０）。
【００５６】
風向制御部２０２は、送風制御部２０１が特定した温度と実際の空間における温度との温度差が５度以上であると判定した場合（ステップＳ２０においてＹＥＳ）、条件１０を満たしたと判定し、条件１０における風向制御を行う（ステップＳ２１）。
【００５７】
風向制御部２０２は、送風制御部２０１が特定した温度と実際の空間における温度との温度差が５度以上でないと判定した場合（ステップＳ２０においてＮＯ）、送風制御部２０１が特定した温度と実際の空間における温度との温度差が２度以上であるか否かを判定する（ステップＳ２２）。
【００５８】
風向制御部２０２は、送風制御部２０１が特定した温度と実際の空間における温度との温度差が２度以上であると判定した場合（ステップＳ２２においてＹＥＳ）、条件１１を満たしたと判定し、条件１１における風向制御を行う（ステップＳ２３）。
【００５９】
風向制御部２０２は、送風制御部２０１が特定した温度と実際の空間における温度との温度差が２度以上でないと判定した場合（ステップＳ２２においてＮＯ）、条件１２を満たしたと判定し、条件１２における風向制御を行う（ステップＳ２４）。
【００６０】
以上、本発明の第１の実施形態によるエアコンシステム１について説明した。
本発明の第１の実施形態によるエアコンシステム１において、風向制御部２０２は、上下風向変更機構１０１の上下方向の気流の方向を制御する。また、風向制御部２０２は、左右風向変更機構１０２の左右方向の気流の方向を制御する。具体的には、風向制御部２０２は、エアコン１０に対して設定される温度と、空間における雰囲気温度との温度差に応じて、上下風向変更機構１０１による気流の方向及び左右風向変更機構１０２による気流の方向を制御する。
こうすることで、制御装置２０は、運転する空間の湿度や温度に応じて、その空間にいる人が冷風や温風を感じづらいエアコン１０の運転を実現することができる。その結果、制御装置２０は、空間にいる人が不快感を催しづらいエアコン１０の運転を実現することができる。
【００６１】
＜第２の実施形態＞
以下、本発明の第２の実施形態によるエアコンシステム１の構成について説明する。
本発明の第２の実施形態によるエアコンシステム１は、加湿器の機能を有し、空間内の湿度を空間にいる人に適した湿度となるように調整する。エアコンシステム１は、図７に示すように、エアコン１０、制御装置２０、加湿器３０を備える。
エアコン１０は、本発明の第１の実施形態によるエアコン１０と同様に、上下風向変更機構１０１、左右風向変更機構１０２を備える。
【００６２】
制御装置２０は、図８に示すように、送風制御部２０１、風向制御部２０２、認識部２０３、加湿制御部２０４を備える。
認識部２０３は、加湿器３０の存在を認識する。
加湿制御部２０４は、認識部２０３が認識した加湿器３０の加湿機能をオン状態またはオフ状態にする。
加湿器３０は、制御装置２０の制御により加湿機能をオン状態またはオフ状態になる。加湿器３０は、オン状態の場合に空間内を加湿する。
なお、本発明の第２の実施形態による制御装置２０による風向制御は、本発明の第１の実施形態による制御装置２０による風向制御と同様である。
【００６３】
以上、本発明の第２の実施形態によるエアコンシステム１について説明した。
本発明の第２の実施形態によるエアコンシステム１において、加湿器３０は、制御装置２０の制御により加湿機能をオン状態またはオフ状態になる。加湿器３０は、オン状態の場合に空間内を加湿する。認識部２０３は、加湿器３０の存在を認識する。加湿制御部２０４は、認識部２０３が認識した加湿器３０の加湿機能をオン状態またはオフ状態にする。
こうすることで、制御装置２０は、空間における湿度をその空間にいる人に適した湿度にすることができる。
【００６４】
なお、本発明の第２の実施形態によるエアコンシステム１は、エアコン１０、制御装置２０、加湿器３０を備えるものとして説明した。しかしながら、本発明の別の実施形態によるエアコンシステム１では、図９に示すように、エアコン１０が、加湿器３０を備えるものであってもよい。そして、制御装置２０が備える加湿制御部２０４がその加湿器３０を制御するものであってもよい。
【００６５】
なお、本発明の別の実施形態によるエアコンシステム１では、運転モードが冷房運転で湿度が低湿度（例えば、６０％未満）の場合、及び、運転モードが暖房運転で湿度が高湿度（例えば、６０％以上）の場合の少なくとも一方の場合において、気流を拡散する制御に移行する際、風向制御部２０２が上下フラップ及び左右ルーバーの少なくとも一方のスイング速度を落とすものであってもよい。このように、風向制御部２０２が上下フラップ及び左右ルーバーの少なくとも一方のスイング速度を落とすことで、気流をより遠くまで拡散させることができる。
【００６６】
なお、本発明の実施形態における処理は、適切な処理が行われる範囲において、処理の順番が入れ替わってもよい。
【００６７】
本発明の実施形態における記憶部、その他の記憶装置のそれぞれは、適切な情報の送受信が行われる範囲においてどこに備えられていてもよい。また、記憶部、その他の記憶装置のそれぞれは、適切な情報の送受信が行われる範囲において複数存在しデータを分散して記憶していてもよい。
【００６８】
本発明の実施形態について説明したが、上述のエアコンシステム１、エアコン１０、制御装置２０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図１０は、少なくとも１つの実施形態に係るコンピュータの構成を示す概略ブロック図である。
コンピュータ５は、図１０に示すように、ＣＰＵ６、メインメモリ７、ストレージ８、インターフェース９を備える。
例えば、上述のエアコンシステム１、エアコン１０、制御装置２０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００６９】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００７０】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００７１】
本発明のいくつかの実施形態を説明したが、これらの実施形態は、例であり、発明の範囲を限定しない。これらの実施形態は、発明の要旨を逸脱しない範囲で、種々の追加、省略、置き換え、変更を行ってよい。
【符号の説明】
【００７２】
１・・・エアコンシステム
５・・・コンピュータ
６・・・ＣＰＵ
７・・・メインメモリ
８・・・ストレージ
９・・・インターフェース
１０・・・エアコン
２０・・・制御装置
３０・・・加湿器
１０１・・・上下風向変更機構
１０２・・・左右風向変更機構
２０１・・・送風制御部
２０２・・・風向制御部
２０３・・・認識部
２０４・・・加湿制御部
【図１】
2019078427.tif 000003
【図２】
2019078427.tif 000004
【図３】
2019078427.tif 000005
【図４】
2019078427.tif 000006
【図５】
2019078427.tif 000007
【図６】
2019078427.tif 000008
【図７】
2019078427.tif 000009
【図８】
2019078427.tif 000010
【図９】
2019078427.tif 000011
【図１０】
2019078427.tif 000012